(57)【要約】      （修正有）【課題】  電子マネーのオンライン決済処理において、通信処理中に顧客が非接触ＩＣカードをリーダライタから離さないようにすることである。【解決手段】  電子マネー通信装置を介して電子マネー記憶装置との電子マネー決済処理を行う電子マネー決済制御装置１は、ポイント付与や割引率等の決済サービス情報や通信状態情報等の情報をＬＥＤ２７の表示形態により使用者に知らせる。使用者は、決済処理中にこの表示を確認することにより、オンライン通信中においても電子マネー記憶装置を電子マネー通信装置から離さないようになる。【選択図】  図２
2008065408.tif 000002
【特許請求の範囲】
【請求項１】
無線通信により決済に関する情報である電子マネー情報を送受信し、前記電子マネー情報を記憶する電子マネー記憶装置と、前記電子マネー記憶装置との間で電子マネー情報を送受信し、前記電子マネー記憶装置と通信可能な領域を示すために配設された発光体の表示形態を電子マネー決済制御装置からの情報により変更可能な電子マネー通信装置と、前記電子マネー通信装置を制御するとともに前記電子マネー通信装置及び決済処理サーバと前記電子マネー情報を送受信する前記電子マネー決済制御装置と、前記電子マネー決済制御装置から受信した前記電子マネー情報により決済処理を行い、さらに前記電子マネー情報の決済可否を問い合わせる電子マネー問合せ情報を決済処理サーバに送信してその応答を受信する決済処理サーバと、前記決済情報処理サーバから受信した前記電子マネー問合せ情報に基づいて決済情報を照合し、その問い合わせ結果に関する情報を前記決済情報処理サーバに送信する決済情報サーバとからなる電子マネー決済システムにおける電子マネー決済制御装置であって、
前記電子マネー情報の決済情報処理に関する決済状態情報に対応して、前記発光体の異なる前記表示形態の組み合わせを選択し、前記決済状態情報に含まれる複数の状態情報を同時に表示可能な表示指示情報を前記電子マネー通信装置に送信する前記決済処理情報制御手段を有する電子マネー決済制御装置。
【請求項２】
前記決済状態情報は、決済額の増減に関する決済サービス情報、前記電子マネー問合せ情報の通信状態を示す問い合せ通信状態情報、決済可能な決済の種類を示す決済種類情報、及び前記電子マネー記憶媒体と前記電子マネー通信装置間の通信状態を示すかざし状態情報のいずれかまたは組み合わせからなる請求項１に記載の電子マネー決済制御装置。
【請求項３】
前記決済処理情報制御手段は、問い合せ通信状態情報の通信時間が所定の時間を越えた場合、前記決済サービス情報を変更し、変更後の前記決済サービス情報に対応し、かつ組み合わせのいずれを変更した表示情報を前記電子マネー通信装置に送信する請求項２に記載の電子マネー決済制御装置。
【請求項４】
前記決済処理情報制御手段は、決済処理中に前記かざし状態情報が変化したことを検出した場合には、変更後の前記かざし状態情報に対応し、かつ他の情報を維持した表示情報を前記電子マネー通信装置に送信する請求項２に記載の電子マネー決済制御装置。
【請求項５】
前記決済処理情報制御手段は、決済処理中に前記決済サービス情報を変更した場合には、
変更後の前記決済サービス情報に対応し、かつ他の情報を維持した表示情報を前記電子マネー通信装置に送信する請求項２に記載の電子マネー決済制御装置。
【請求項６】
前記決済処理情報制御手段は、前記決済処理サーバおよび前記決済情報サーバの双方またはいずれかの有する決済に関する情報を受信して前記決済サービス情報を算出する請求項５に記載の電子マネー決済制御装置。
【請求項７】
前記決済処理情報制御手段は、前記電子マネー記憶媒体と前記電子マネー通信装置間の通信が切れてから再度通信可能になるまでの時間により前記決済サービス情報を算出する請求項５に記載の電子マネー決済制御装置。
【請求項８】
無線通信により決済に関する情報である電子マネー情報を送受信し、前記電子マネー情報を記憶する電子マネー記憶装置と、前記電子マネー記憶装置との間で電子マネー情報を送受信し、前記電子マネー記憶装置と通信可能な領域を示すために配設された発光体の表示形態を電子マネー決済制御装置からの情報により変更可能な電子マネー通信装置と、前記電子マネー通信装置を制御するとともに前記電子マネー通信装置及び決済処理サーバと前記電子マネー情報を送受信する前記電子マネー決済制御装置と、前記電子マネー決済制御装置から受信した前記電子マネー情報により決済処理を行い、さらに前記電子マネー情報の決済可否を問い合わせる電子マネー問合せ情報を決済処理サーバに送信してその応答を受信する決済処理サーバと、前記決済情報処理サーバから受信した前記電子マネー問合せ情報に基づいて決済情報を照合し、その問い合わせ結果に関する情報を前記決済情報処理サーバに送信する決済情報サーバとからなる電子マネー決済システムにおける電子マネー決済制御装置に用いられるプログラムであって、
前記電子マネー情報の決済情報処理に関する決済状態情報に対応して、前記発光体の異なる前記表示形態の組み合わせを選択し、前記決済状態情報に含まれる複数の状態情報を同時に表示可能な表示指示情報を前記電子マネー通信装置に送信する前記決済処理情報制御処理を有する電子マネー決済制御プログラム。
【請求項９】
前記決済状態情報は、決済額の増減に関する決済サービス情報、前記電子マネー問合せ情報の通信状態を示す問い合せ通信状態情報、決済可能な決済の種類を示す決済種類情報、及び前記電子マネー記憶媒体と前記電子マネー通信装置間の通信状態を示すかざし状態情報のいずれかまたは組み合わせからなる請求項８に記載の電子マネー決済制御プログラム。
【請求項１０】
前記決済処理情報制御手段は、問い合せ通信状態情報の通信時間が所定の時間を越えたときに前記決済サービス情報を変更し、変更後の前記決済サービス情報に対応し、かつ組み合わせのいずれを変更した表示情報を前記電子マネー通信装置に送信する請求項９に記載の電子マネー決済制御装置。
【請求項１１】
前記決済処理情報制御手段は、決済処理中に前記かざし状態情報が変化したことを検出した場合には、変更後の前記かざし状態情報に対応し、かつ他の情報を維持した表示情報を前記電子マネー通信装置に送信する請求項９に記載の電子マネー決済制御プログラム。
【請求項１２】
前記決済処理情報制御手段は、決済処理中に前記決済サービス情報を変更した場合には、
変更後の前記決済サービス情報に対応し、かつ他の情報を維持した表示情報を前記電子マネー通信装置に送信する請求項９に記載の電子マネー決済制御プログラム。
【請求項１３】
前記決済処理情報制御手段は、前記決済処理サーバおよび前記決済情報サーバの双方またはいずれかの有する決済に関する情報を受信して前記決済サービス情報を算出する請求項１２に記載の電子マネー決済制御プログラム。
【請求項１４】
前記決済処理情報制御手段は、前記電子マネー記憶媒体と前記電子マネー通信装置間の通信が切れてから再度通信可能になるまでの時間により前記決済サービス情報を算出する請求項１２に記載の電子マネー決済制御プログラム。
【請求項１５】
無線通信により決済に関する情報である電子マネー情報を送受信し、前記電子マネー情報を記憶する電子マネー記憶装置と、前記電子マネー記憶装置との間で電子マネー情報を送受信し、前記電子マネー記憶装置と通信可能な領域を示すために配設された発光体の表示形態を電子マネー決済制御装置からの情報により変更可能な電子マネー通信装置と、前記電子マネー通信装置を制御するとともに前記電子マネー通信装置及び決済処理サーバと前記電子マネー情報を送受信する前記電子マネー決済制御装置と、前記電子マネー決済制御装置から受信した前記電子マネー情報により決済処理を行い、さらに前記電子マネー情報の決済可否を問い合わせる電子マネー問合せ情報を決済処理サーバに送信してその応答を受信する決済処理サーバと、前記決済情報処理サーバから受信した前記電子マネー問合せ情報に基づいて決済情報を照合し、その問い合わせ結果に関する情報を前記決済情報処理サーバに送信する決済情報サーバとからなる電子マネー決済システムにおける電子マネー決済制御方法であって、
前記電子マネー情報の決済情報処理に関する決済状態情報に対応して、前記発光体の異なる前記表示形態の組み合わせを選択し、前記決済状態情報に含まれる複数の状態情報を同時に表示可能な表示指示情報を前記電子マネー通信装置に送信する前記決済処理情報制御ステップを有する電子マネー決済制御方法。
【発明の詳細な説明】
【技術分野】
【０００１】
本発明は電子マネーの決済を行う電子マネー決済制御装置、電子マネー決済制御プログラム、および電子マネー決済制御方法に関する。
【背景技術】
【０００２】
従来の非接触ＩＣカードの処理は図１６に示すように、店舗の中に設置された電子マネー通信装置と電子マネー決済制御装置で処理されるオフライン処理が多く行われていた。一方、クレジットカード等の決済や決済金額が所定の額を超えた場合の決済等において、そのカードで決済可能であることを、通信回線を介して決済情報サーバに問い合わせるオンラインシステムが用いられている（例えば特許文献１）。
【特許文献１】特開２０００−３０６１６１公報
【発明の開示】
【発明が解決しようとする課題】
【０００３】
上記オンラインシステムにおいて、オンラインでカード会社に問い合わせる際に、通信の状況やカード会社のサーバの処理に時間がかかることにより、電子マネー決済制御装置が即座に応答を受信できない場合があった。このようなときに、非接触ＩＣカードやその機能を有する携帯電子機器では、カード使用者が当該非接触ＩＣカード等をリーダライタから離してしまい、決済処理が完結できないことがある。
【０００４】
本発明の目的は、当該非接触ＩＣカードやこれを内蔵した携帯電子機器による決済処理において、カード使用者が、決済処理が完了するまで当該カードをリーダライタから離さないようにすることである。
【課題を解決するための手段】
【０００５】
本発明は、前記課題を解決するための第１の構成として、無線通信により決済に関する情報である電子マネー情報を送受信し、前記電子マネー情報を記憶する電子マネー記憶装置と、前記電子マネー記憶装置との間で電子マネー情報を送受信し、前記電子マネー記憶装置と通信可能な領域を示すために配設された発光体の表示形態を電子マネー決済制御装置からの情報により変更可能な電子マネー通信装置と、前記電子マネー通信装置を制御するとともに前記電子マネー通信装置及び決済処理サーバと前記電子マネー情報を送受信する前記電子マネー決済制御装置と、前記電子マネー決済制御装置から受信した前記電子マネー情報により決済処理を行い、さらに前記電子マネー情報の決済可否を問い合わせる電子マネー問合せ情報を決済処理サーバに送信してその応答を受信する決済処理サーバと、前記決済情報処理サーバから受信した前記電子マネー問合せ情報に基づいて決済情報を照合し、その問い合わせ結果に関する情報を前記決済情報処理サーバに送信する決済情報サーバとからなる電子マネー決済システムにおける電子マネー決済制御装置であって、前記電子マネー情報の決済情報処理に関する決済状態情報に対応して、前記発光体の異なる前記表示形態の組み合わせを選択し、前記決済状態情報に含まれる複数の状態情報を同時に表示可能な表示指示情報を前記電子マネー通信装置に送信する前記決済処理情報制御手段を有する電子マネー決済制御装置を提供する。
【０００６】
さらに、前記課題を解決するための第２の構成として、前記第１の構成において、前記決済状態情報は、決済額の増減に関する決済サービス情報、前記電子マネー問合せ情報の通信状態を示す問い合せ通信状態情報、決済可能な決済の種類を示す決済種類情報、及び前記電子マネー記憶媒体と前記電子マネー通信装置間の通信状態を示すかざし状態情報のいずれかまたは組み合わせからなる電子マネー決済制御装置を提供する。
【０００７】
さらに、前記課題を解決するための第３の構成として、前記第２の構成において、前記決済処理情報制御手段は、問い合せ通信状態情報の通信時間が所定の時間を越えた場合、前記決済サービス情報を変更し、変更後の前記決済サービス情報に対応し、かつ組み合わせのいずれを変更した表示情報を前記電子マネー通信装置に送信する電子マネー決済制御装置を提供する。
【０００８】
さらに、前記課題を解決するための第４の構成として、前記第２の構成において、前記決済処理情報制御手段は、決済処理中に前記かざし状態情報が変化したことを検出した場合には、変更後の前記かざし状態情報に対応し、かつ他の情報を維持した表示情報を前記電子マネー通信装置に送信する電子マネー決済制御装置を提供する。
【０００９】
さらに、前記課題を解決するための第５の構成として、前記第２の構成において、前記決済処理情報制御手段は、決済処理中に前記決済サービス情報を変更した場合には、
変更後の前記決済サービス情報に対応し、かつ他の情報を維持した表示情報を前記電子マネー通信装置に送信する請求項２に記載の電子マネー決済制御装置を提供する。
【００１０】
さらに、前記課題を解決するための第６の構成として、前記第５の構成において、前記決済処理情報制御手段は、前記決済処理サーバおよび前記決済情報サーバの双方またはいずれかの有する決済に関する情報を受信して前記決済サービス情報を算出する電子マネー決済制御装置を提供する。
【００１１】
さらに、前記課題を解決するための第７の構成として、前記第５の構成において、前記決済処理情報制御手段は、前記電子マネー記憶媒体と前記電子マネー通信装置間の通信が切れてから再度通信可能になるまでの時間により前記決済サービス情報を算出する電子マネー決済制御装置を提供する。
【００１２】
さらに、前記課題を解決するための第８の構成として、無線通信により決済に関する情報である電子マネー情報を送受信し、前記電子マネー情報を記憶する電子マネー記憶装置と、前記電子マネー記憶装置との間で電子マネー情報を送受信し、前記電子マネー記憶装置と通信可能な領域を示すために配設された発光体の表示形態を電子マネー決済制御装置からの情報により変更可能な電子マネー通信装置と、前記電子マネー通信装置を制御するとともに前記電子マネー通信装置及び決済処理サーバと前記電子マネー情報を送受信する前記電子マネー決済制御装置と、前記電子マネー決済制御装置から受信した前記電子マネー情報により決済処理を行い、さらに前記電子マネー情報の決済可否を問い合わせる電子マネー問合せ情報を決済処理サーバに送信してその応答を受信する決済処理サーバと、前記決済情報処理サーバから受信した前記電子マネー問合せ情報に基づいて決済情報を照合し、その問い合わせ結果に関する情報を前記決済情報処理サーバに送信する決済情報サーバとからなる電子マネー決済システムにおける電子マネー決済制御装置に用いられるプログラムであって、前記電子マネー情報の決済情報処理に関する決済状態情報に対応して、前記発光体の異なる前記表示形態の組み合わせを選択し、前記決済状態情報に含まれる複数の状態情報を同時に表示可能な表示指示情報を前記電子マネー通信装置に送信する前記決済処理情報制御処理を有する電子マネー決済制御プログラムを提供する。
【００１３】
さらに、前記課題を解決するための第９の構成として、前記第８の構成において、前記決済状態情報は、決済額の増減に関する決済サービス情報、前記電子マネー問合せ情報の通信状態を示す問い合せ通信状態情報、決済可能な決済の種類を示す決済種類情報、及び前記電子マネー記憶媒体と前記電子マネー通信装置間の通信状態を示すかざし状態情報のいずれかまたは組み合わせからなる電子マネー決済制御プログラムを提供する。
【００１４】
さらに、前記課題を解決するための第１０の構成として、前記第９の構成において、前記決済処理情報制御手段は、問い合せ通信状態情報の通信時間が所定の時間を越えたときに前記決済サービス情報を変更し、変更後の前記決済サービス情報に対応し、かつ組み合わせのいずれを変更した表示情報を前記電子マネー通信装置に送信する電子マネー決済制御装置を提供する。
【００１５】
さらに、前記課題を解決するための第１１の構成として、前記第９の構成において、前記決済処理情報制御手段は、決済処理中に前記かざし状態情報が変化したことを検出した場合には、変更後の前記かざし状態情報に対応し、かつ他の情報を維持した表示情報を前記電子マネー通信装置に送信する電子マネー決済制御プログラムを提供する。
【００１６】
さらに、前記課題を解決するための第１２の構成として、前記第９の構成において、前記決済処理情報制御手段は、決済処理中に前記決済サービス情報を変更した場合には、
変更後の前記決済サービス情報に対応し、かつ他の情報を維持した表示情報を前記電子マネー通信装置に送信する電子マネー決済制御プログラムを提供する。
【００１７】
さらに、前記課題を解決するための第１３の構成として、前記第１２の構成において、前記決済処理情報制御手段は、前記決済処理サーバおよび前記決済情報サーバの双方またはいずれかの有する決済に関する情報を受信して前記決済サービス情報を算出する電子マネー決済制御プログラムを提供する。
【００１８】
さらに、前記課題を解決するための第１４の構成として、前記第１２の構成において、前記決済処理情報制御手段は、前記電子マネー記憶媒体と前記電子マネー通信装置間の通信が切れてから再度通信可能になるまでの時間により前記決済サービス情報を算出する電子マネー決済制御プログラムを提供する。
【００１９】
さらに、前記課題を解決するための第１５の構成として、無線通信により決済に関する情報である電子マネー情報を送受信し、前記電子マネー情報を記憶する電子マネー記憶装置と、前記電子マネー記憶装置との間で電子マネー情報を送受信し、前記電子マネー記憶装置と通信可能な領域を示すために配設された発光体の表示形態を電子マネー決済制御装置からの情報により変更可能な電子マネー通信装置と、前記電子マネー通信装置を制御するとともに前記電子マネー通信装置及び決済処理サーバと前記電子マネー情報を送受信する前記電子マネー決済制御装置と、前記電子マネー決済制御装置から受信した前記電子マネー情報により決済処理を行い、さらに前記電子マネー情報の決済可否を問い合わせる電子マネー問合せ情報を決済処理サーバに送信してその応答を受信する決済処理サーバと、前記決済情報処理サーバから受信した前記電子マネー問合せ情報に基づいて決済情報を照合し、その問い合わせ結果に関する情報を前記決済情報処理サーバに送信する決済情報サーバとからなる電子マネー決済システムにおける電子マネー決済制御方法であって、
前記電子マネー情報の決済情報処理に関する決済状態情報に対応して前記発光体の異なる前記表示形態の組み合わせを選択し、前記決済状態情報に含まれる複数の状態情報を同時に表示可能な表示指示情報を前記電子マネー通信装置に送信する前記決済処理情報制御ステップを有する電子マネー決済制御方法を提供する。
【発明の効果】
【００２０】
本発明によれば、電子マネーの決済処理を行っている間は、電子マネー通信装置に決済状態情報が表示されるために、カード使用者はこの情報を認識することにより、決済が完了するまでカードをはずさなくなり、また、はずされたことが表示されることで、決済の完了のための再度のかざしが行われる。
【発明を実施するための最良の形態】
【００２１】
（１）実施の形態の概要
本発明の電子マネー処理システムは、電子マネー決済制御装置１、電子マネー通信装置２、電子マネー記憶装置３、決済処理サーバ４及び決済情報サーバ５から構成される。
【００２２】
電子マネー記憶装置３は、プリペイドやクレジットなどの電子マネー情報を記憶し、電子マネー記憶装置３と通信し、電子マネーの増額、減額を行う。ここで、電子マネー情報とは、決済金額そのものの情報またはチケットを示すＩＤ情報など決済に関する情報を含む情報をいう。
【００２３】
電子マネー通信装置２は、電子マネー記憶装置３と通信し、電子マネー記憶装置３に電子マネー情報を読み出し、または書き込みを行う。また、この電子マネー情報を電子マネー決済制御装置１に送信し、または受信する（送受信する）。また、この電子マネー通信装置２は、電子マネー記憶装置３と通信するために電子マネー記憶装置３を近づける場所を示すためにＬＥＤ（Ｌｉｇｈｔ  Ｅｍｉｔｔｉｎｇ  Ｄｉｏｄｅ）などの発光体を備えている。さらに電子マネー通信装置２は、電子マネー決済制御装置１からの情報によりこの発光体の表示形態を変更することができる。
【００２４】
電子マネー決済制御装置１は、電子マネー通信装置２を制御し、電子マネー記憶装置３の電子マネー情報を読み出し、または書き込みを指示する。また決済処理サーバ４との間で電子マネー情報を送受信する。
【００２５】
決済処理サーバ４は、電子マネー決済制御装置１から送信された電子マネー情報により決済処理を行う。さらに決済処理サーバ４は、電子マネー情報の決済可否を問い合わせる電子マネー問合せ情報を決済処理サーバに送信してその応答を受信する
決済情報サーバ５は、決済処理サーバ４からの電子マネー情報問い合わせについて、当該決済情報サーバ５機器内のデータと照合して、その問い合わせ結果の情報を決済処理サーバ４に応答する。
【００２６】
決済処理情報表示手段は、予め決められたテーブルに基づいて電子マネー情報の決済情報処理に関する決済状態情報に対応して前記発光体の表示形態を選択する。決済処理情報表示手段は、電子マネー通信装置２の発光体の異なる表示形態の組み合わせより決済状態情報に含まれる複数の状態情報を同時に表示可能な表示指示情報を電子マネー通信装置２に送信する。
（２）実施の形態の詳細
図１は、本発明の一実施の形態である電子マネー決済システムのシステム構成図である。電子マネー記憶装置３と電子マネー通信装置２は無線により通信する。電子マネー通信装置２と電子マネー決済制御装置１は主に有線により接続されている。図１では電子マネー通信装置２と電子マネー決済制御装置１は別の装置として書かれているが、これらの機能を持つ装置が同一筐体内に存在する実施の形態をとることもできる。
【００２７】
電子マネー決済制御装置１は通信回線６に接続されている。この回線は決済処理サーバ４や決済情報サーバ５と通信するための回線であり、公衆回線、専用回線やインターネット等によっても構成可能である。この通信回線には決済処理サーバ４や決済情報サーバ５が接続されている。
【００２８】
図２は、同実施の形態における電子マネー決済制御装置１と電子マネー通信装置２の主要部の構成を示すブロック図である。電子マネー決済制御装置１は、主に制御部１１と、通信部１２と、入力部１３と表示部１４と印刷部１５から構成されている。
【００２９】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等から構成され、ＲＯＭに格納されているプログラムを読み出し、ＲＡＭなどのメモリーを用いて、プログラムを動作させ、各ハードウェアユニットを制御する。また電子マネー通信装置２のかざし制御部２１と通信し、電子マネー通信装置２の制御を行う。
【００３０】
通信部１２は、通信回線６と接続し、決済処理サーバ４と通信するものである。入力部１３は、キー装置などによりデータを入力し、制御部１１に通知するものである。表示部１４はＬＣＤなどの表示機能であり、使用者への操作指示や入力値などを表示するものである。印刷部１５は決済結果としての伝票やレシートを印字するものである。
【００３１】
決済処理サーバ４との通信では、通信部１２は、電子マネー問合せ情報等を送信し、これらの情報に対する応答を受信する。ここで、電子マネー問合せ情報とは、決済処理中の電子マネーに関する情報の問合せであり、決済に用いられた電子マネー記憶装置３の固有情報である情報カードＩＤや決済金額などにより構成されている。
【００３２】
電子マネー通信装置２は、かざし制御部２１、無線回路部２２、アンテナ部２３、ＬＣＤ表示部２４、音声部２５、ＬＥＤ表示部２６、ＬＥＤ２７（ａ）からＬＥＤ２７（ｄ）により構成されている。
【００３３】
かざし制御部２１は、制御部１１と同様の構成をし、制御部１１と同様に無線回路部２２、アンテナ部２３、ＬＣＤ表示部２４、音声部２５、ＬＥＤ表示部２６、ＬＥＤ２７（ａ）からＬＥＤ２７（ｄ）のハードウェアユニットを制御する。
【００３４】
無線回路２２は、アンテナ部２３が受信した高周波信号からデータを抽出して、かざし制御部２１に送るものである。ＬＣＤ表示部２４は、機器の状態やカード使用者へのメッセージを表示するものである。音声部２５は、決済処理が完了したこと等を知らせる音声を出力するものである。
【００３５】
ＬＥＤ２７は、電子マネー記憶装置３を電子マネー通信装置２に近づける目安となる位置や決済状態情報等を表示するものである。
【００３６】
図３は同実施の形態における電子マネー記憶装置３の主要部の構成を示すブロック図である。本実施の形態では、電子マネー記憶装置３は非接触ＩＣカードとして説明する。電子マネー記憶装置３はアンテナ部を有した携帯電子機器でも構成可能である。この場合には、以下の説明について、カードに関する説明を携帯電子機器として読み替えるものとする。
【００３７】
電子マネー記憶装置３はＲＦＩＤ（Ｒａｄｉｏ  Ｆｒｅｑｕｅｎｃｙ  Ｉｄｅｎｔｉｆｉｃａｔｉｏｎ）などの無線通信機能を備えた非接触ＩＣ（Ｉｎｔｅｇｒａｔｅｄ  Ｃｉｒｃｕｉｔ）カードや、この機能を備えた携帯電子機器である。この電子マネー記憶装置３は、制御部３１、記憶部３２、アンテナ部３３、通信部３４などから構成されている。
【００３８】
制御部３１は、ＣＰＵ、ＲＯＭ、ＲＡＭ、ＥＥＰＲＯＭ（Ｅｌｅｃｔｒｏｎｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などから構成される。記憶部３２はＲＯＭ、ＲＡＭ、ＥＥＰＲＯＭ等から構成されている。制御部３１はアンテナ部３３により、通信部３４を介して電子マネー通信装置２と通信し、そのデータをＲＡＭやＥＥＰＲＯＭなどの記憶部３２に格納し、または読み出す。
【００３９】
図示していないが、決済処理サーバ４は、制御部、記憶部、通信部、入力部、出力部、決済情報データベース部（以下、「決済情報ＤＢ」と呼ぶ）等から構成され、通常のコンピュータの構成に決済情報ＤＢが接続されたものである。決済情報ＤＢにはカードＩＤやそのカードの決済可否情報、過去の決済履歴、ポイント情報などが格納されている。通信部は通信回線６を介して決済情報サーバ５と通信する。決済情報サーバ５へは、決済中の電子マネー情報問合せ等の情報を送信し、その応答を受信する。
【００４０】
同様に図示していないが、決済情報サーバ５は制御部、記憶部、通信部、入力部、出力部、カード情報データベース部（以下、「カード情報ＤＢ」と呼ぶ）等から構成され、通常のコンピュータの構成にカード情報ＤＢが接続されたものである。決済処理サーバ４からの問い合わせに対しカード情報ＤＢを検索し、対応する情報を読み出し、その情報を応答として返信する。決済処理サーバ４からの問い合わせに対し、カード情報ＤＢの検索から対応情報が得られなかった場合等には、他のサーバへ問い合わせてその結果を受信し、決済処理サーバ４へ送信することも行う。
【００４１】
ここで、ＬＥＤの表示形態について説明する。ＬＥＤ２７は２つ以上で構成され、例えば、カード状の長方形の４角で構成される場合には、おのおのの位置関係から、左上のＬＥＤをＬＥＤ（左上）２７（ａ）、右上のＬＥＤをＬＥＤ（右上）２７（ｂ）、右下のＬＥＤをＬＥＤ（右下）２７（ｃ）、左下のＬＥＤをＬＥＤ（左下）２７（ｄ）とする。
【００４２】
本実施形態では電子マネー通信装置２の発光体はＬＥＤにより構成されているが、有機ＥＬ（Ｅｌｅｃｔｒｏｌｕｍｉｎｅｓｃｅｎｃｅ）など他の発光体でも構成可能である。ＬＥＤ２７は、複数色を表示可能であり、点滅も可能である。かざし制御部２１はこの点滅間隔を可変に制御する。また、一つの発光体により四角形の輪を作るような形でも構成可能である。但し、この場合は、ＬＥＤ表示形態のうち、回転速度や回転方向に関する表示は行わない。
【００４３】
図４は、同実施の形態における電子マネー通信装置の発光形態の例を示す図である。上段Ａでは、（１）はＬＥＤ左上２７（ａ）のみが黄色に点灯し、他のＬＥＤ２７は消灯している。（２）では、ＬＥＤ右上２７（ｂ）のみが黄色に点灯し、他のＬＥＤ２７は消灯している。（３）では、ＬＥＤ右下２７（ｃ）のみが点灯し、他のＬＥＤ２７は消灯している。（４）では、ＬＥＤ左下２７（ｄ）のみが点灯し、他のＬＥＤ２７は消灯している。
【００４４】
かざし制御部２１は、上記（１）から（４）の状態をＬＥＤ表示部２６に指示し、表示状態を制御する。かざし制御部２１は、この表示を（１）→（２）→（３）→（４）→（１）→以下同じ、のサイクルを繰り返しＬＥＤ表示部２６に指示することにより、使用者には、黄色の発光体が回転しているように見える。Ｂ段では、同様の回転表示形態であるが、ＬＥＤの発光色を赤に変更し、同様の回転形態で表示した図である。
【００４５】
かざし制御部２１はＬＥＤ表示部２６に対して、このサイクルを早くまたは遅くする指示を行うことにより、発光体の回転速度を可変に制御する。また、かざし制御部２１はＬＥＤ表示部２６に対して、当該サイクルを逆に指示することにより、回転方向も制御する。さらに、かざし制御部２１はＬＥＤ表示部２６に対して、複数のＬＥＤを同時に点滅させるよう指示する制御も行う。このとき、かざし制御部２１はＬＥＤ表示部２６に対して、この点滅時間の間隔を調整するよう指示する。
【００４６】
図５は、同実施の形態における通信処理状態とＬＥＤ表示形態の対応表である。図６は、同実施の形態におけるカード状態とＬＥＤ表示形態の対応表である。図７は、同実施の形態におけるサービス状態とＬＥＤ表示形態の対応表である。本実施の形態では、通信処理状態は図５に示すように、ＬＥＤの点滅頻度、回転速度、回転方向で示す。カード状態は、図６に示すように発光色、点滅頻度、回転速度、回転方向で示す。サービス状態は発光色で示す。表示形態はこの４つに限られず、また決済に関する状態も上記３種類の状態に限られるものではない。
【００４７】
本実施の形態では、カードかざし待ちの状態では、制御部１１は、決済処理状態テーブル４０の「通信準備中」に対応する発行色、点滅頻度、回転速度、回転方向の処理を読み出す。そして制御部１１は、電子マネー通信装置２に対して、発光色は維持、点滅頻度を遅、回転を無で表示する表示情報を送信する。制御部１１は、この表示情報を予め決められたフォーマットに決済処理状態テーブルから読み出した値を代入することにより作成する。以下の説明に置いて、機器間の通信に用いられるコマンドは同様に作成される。
【００４８】
決済処理が開始されると、制御部１１は、決済処理状態テーブル４０の「通信処理中」に対応する発行色、点滅頻度、回転速度、回転方向の処理を読み出す。そして、制御部１１は電子マネー通信装置２に対して、発光色を維持、点滅速度を無、回転を無で表示するコマンドを送信する。その後、オンライン通信処理が始まって「通信処理中」、「通信処理７０％」、「決済処理終了」等と、制御部１１は、決済処理テーブル４０から対応するＬＥＤ表示形態の値を読み出し、電子マネー通信装置２に指示し、ＬＥＤ表示形態を制御する。
【００４９】
さらに、制御部１１は、電子マネー通信装置２からカードかざし状態を検出したとの通知を受信したときは、カードかざし状態テーブル４１を参照し、そのカード状態に対応したＬＥＤ表示形態の処理を読み出し、電子マネー通信装置２にその情報を送信する。制御部１１は決済処理のサービス状態についても、サービス状態テーブル４２を参照し、そのサービス状態に対応したＬＥＤ表示形態の処理を読み出し、電子マネー通信装置２にその情報を送信する。電子マネー通信装置２がカードかざし状態を検出し、電子マネー決済制御装置１に通知せずに、ＬＥＤ表示内容を、他の表示形態に影響ないように変更することも可能である。
【００５０】
本実施の形態では、上記３種類の決済状態は、それぞれの状態の変化が他の状態の変化に影響を与えないようにその表示形態の内容が構成されている。したがって、３つの決済状態が非同期に発生しても、それぞれの状態を同時に表すことが出来る。
【００５１】
また電子マネーの決済に関する情報は上記に限られず、決済可能な決済の種類を示す決済種類情報をＬＥＤ表示することもできる。この場合、例えば決済可能な決済種類を発光色で表し、カードかざし状態の点滅頻度以外を現状維持とすることにより表示可能である。具体的には決済種類が「Ａ決済種類」は発光色が青、「Ｂ決済種類」は発光色が青黄、「Ｃ決済種類」が黄でＬＥＤ表示を行い、他のＬＥＤ表示は現状維持とし、カードかざし状態は「カードかざし要求」状態が遅い点滅、「再かざし要求」状態が早い点滅とし、他のＬＥＤは維持とすること等の表示ができる。ここで決済種類情報とは、例えば会社ごと、またはグループごとの決済の種類を示す情報をいう。
【００５２】
図８は同実施の形態におけるシステムの処理を示すシーケンス図である。カード使用者は、店舗で買い物をし、レジの店員にカードで支払う旨を伝える。店員は電子マネー決済制御装置１に決済金額等を入力する。ここでの入力は、店員により、ＰＯＳ（Ｐｏｉｎｔ  ｏｆ  Ｓａｌｅｓ  Ｓｙｓｔｅｍ）レジ（図示していない）に金額、カード支払いである等の情報、及びどの会社の決済を利用するかという決済種類情報を入力してもよい。この場合、ＰＯＳレジは、入力後にこれらの情報を電子マネー決済制御装置１に送信する。
【００５３】
制御部１１は、この決済金額など、入力された決済に関連する情報に基づいて決済金額情報を作成する。従って決済金額情報には、金額情報、チケットのＩＤ情報、または使用する決済種類の情報などが含まれている。この決済金額情報の作成は、例えば、制御部１１が、入力されたデータ等を、予め決められたフォーマットに代入することにより作成される。以下、電子マネー決済制御装置１、電子マネー通信装置２、電子マネー記憶装置３、決済処理サーバ４、決済情報サーバ５の各制御部が通信データを作る場合も同様である。そして、電子マネー決済制御装置１は、このように作成された決済金額情報をマネー通信装置２に送信する（ステップＳ１３１）。
【００５４】
このとき電子マネー決済制御装置１は、入力された情報から、カードかざし状態が「カードかざし要求」であり、決済種類が「Ａ決済種類」である等のＬＥＤ表示形態の情報も電子マネー通信装置２に送信する。また、以下のシーケンスにおいて、電子マネー決済制御装置１は、電子マネー通信装置２にＬＥＤ表示を変更する状態を検出したときには、ＬＥＤ表示形態を決済処理状態テーブル４０、カードかざし状態テーブル４１、サービス状態テーブル４２、及び決済種類を表すテーブル（図示していない）等から、そのときのＬＥＤ表示形態に対応する値を読み出して、電子マネー通信装置２に表示を制御する情報を送信する。
【００５５】
電子マネー通信装置２のかざし制御部２１は、この決済金額情報を受信した場合には、無線回路部に対し、ポーリングを行うように指示する。無線回路部２１はアンテナを介してポーリングを行う（ステップＳ１２１）。このポーリングは電子マネー記憶装置３が電子マネー通信装置２に通信可能にかざされているかを検出するものである。
【００５６】
電子マネー記憶装置３が電子マネー通信装置２にかざされた場合には、電子マネー記憶装置３のアンテナを介して、制御部３１が当該ポーリングを検出する（ステップＳ１１１）。その後、制御部はカード検知の情報を電子マネー通信装置２に送信する（ステップＳ１１２）。電子マネー通信装置２からのコマンドに対する電子マネー記憶装置３の応答送信の処理は、以下同様である。
【００５７】
電子マネー通信装置２は、ポーリングによるカード検知を受信した後に相互認証の情報を電子マネー記憶装置３との間で送受信する（ステップＳ１２２）。その後、電子マネー通信装置２はカード情報確認のコマンドを電子マネー記憶装置３に送信する（ステップＳ１２３）。電子マネー記憶装置３はカード情報確認のコマンドに対しカード情報を通知する（ステップＳ１１３）。カード情報には、カード固有の情報ＩＤや決済可能な金額情報が含まれる。本実施の形態では、電子マネー通信装置２としてカードを使っているので、ここでやり取りされる情報を「カード情報」としているが、電子マネー通信装置２に携帯電子機器を用いた場合には電子機器の固有のＩＤ情報が含まれることから、この場合を含めた場合を「電子マネー情報」という。以下同様である。
【００５８】
電子マネー通信装置２のかざし制御部２１は、アンテナ部２３を介してこのカード情報を受信した場合には、その情報内容を電子マネー決済制御装置１に送信する（ステップＳ１２４）。電子マネー記憶装置３からの情報を電子マネー通信装置２に転送する場合は、以下同様に行う。
【００５９】
このカード情報通知を受信した電子マネー決済制御装置１の制御部１１は、ＯＦＦ／ＯＮ判定を行う（ステップＳ１３２）。ＯＦＦ／ＯＮ判定とは、当該決済を決済処理サーバ４に決済可否問合せを行わずにオフライン処理で行うか、それとも決済処理サーバ４に通信回線６を介して（オンラインで）確認するかを決める判定である。この判定は、決済金額、所定の期間の決済回数や合計金額などにより、制御部１１が判定する。例えば決済金額で判断する場合には、所定の金額を超えたか否かで、制御部１１が判断する。
【００６０】
判断の具体的な処理として、例えば、カードＩＤとそれに対応する上限金額が格納されているテーブルをＲＯＭ、またはＲＡＭに記憶しておき、決済時にそのカードＩＤに対応した上限金額を制御部１１が読み出す。制御部は受信した決済金額が、この上限金額を超えていればオンライン処理と判定し、超えていなければオフライン処理と判定する。
【００６１】
所定の期間の決済回数や合計金額の場合には、決済する度に、電子マネー通信装置２または、電子マネー決済制御装置１のメモリーにカードＩＤごとに、決済日と決済金額通信等を記録し、上限金額の処理の場合と同様にＯＦＦ／ＯＮ判定を行う。
【００６２】
制御部１１は、オンライン処理を行うと判定した場合には、通信部１２を制御し、決済可否問合せのコマンドを決済処理サーバ４に送信する（ステップＳ１３３）。この決済可否問合せのコマンドにはカード情報が含まれている。
【００６３】
このとき電子マネー決済制御装置１は、決済処理状態が「通信処理中」であり、他の状態を維持する等のＬＥＤ表示形態の情報を電子マネー通信装置２に送信する。
【００６４】
決済処理サーバ４は、決済可否判定コマンドを受信した場合には、その制御部は、電子マネー決済制御装置１から受信したカード情報問合せや決済可否問合せにより、決済情報ＤＢを検索し、対応する決済可否情報を読み出す。対応する決済可否情報の内容により、決済処理サーバ４の制御部は、さらに、決済可否情報のコマンドを決済情報サーバ５に送信する（ステップＳ１４１）。
【００６５】
決済情報サーバ５の制御部はカード情報ＤＢを検索し、該当するカードＩＤの決済可否情報を読み出す。そして当該制御部は、これを応答情報として、決済処理サーバ４に送信する。
【００６６】
決済処理サーバ４の制御部は、決済情報ＤＢから読み出したデータまたは決済情報サーバ５からの応答に含まれる情報に基づいて、予め指定されたフォーマットにカード情報や決済可否情報をかきこみ、応答情報を作成し、電子マネー決済制御装置１にこの応答情報を送信する（ステップＳ１４２）。
【００６７】
電子マネー決済制御装置１の制御部１１は、受信した決済可否通知に含まれる情報が決済可である場合には、電子マネー通信装置２に結果書き込みのコマンドを送信する（ステップＳ１３４）。結果書き込みのコマンドは、カードＩＤ決済金額、決済可否結果の情報等から構成される。電子マネー通信装置２のかざし制御部２１は、結果書込の情報を受信した場合、電子マネー記憶装置３へカード情報更新のコマンドを送信する（ステップＳ１２５）。
【００６８】
電子マネー記憶装置３の制御部３１は、カード情報更新のコマンドを受信した場合には、記憶部３２に記憶されている電子マネーの情報から決済金額を減じる処理を行う。その後制御部３１は、カードＩＤを含んだ更新情報通知を電子マネー通信装置２に送信する。当該更新情報通知を受信した電子マネー通信装置２は、書込完了のコマンドを電子マネー決済制御装置１に送信する（ステップＳ１２６）。
【００６９】
電子マネー決済制御装置１は、当該書込完了コマンドを受信し、結果を表示部１４に表示する。以上で当該一連の決済処理は完了する。このとき電子マネー決済制御装置１は、決済処理状態が「決済処理終了」であり、他の状態を維持する等のＬＥＤ表示形態の情報を電子マネー通信装置２に送信する。
【００７０】
図９は、同実施の形態におけるシステムで決済処理中にカードがはずされたときのシステムの処理を示すシーケンス図である。図８のシーケンスと同じ処理には同じ符号としている。これら同じ処理については説明を省略する。以下の図面においても同様である。
【００７１】
また、図９のシーケンスにおいて、図８と同様に電子マネー決済制御装置１は、電子マネー通信装置２にＬＥＤ表示を変更する状態を検出したときには、ＬＥＤ表示形態を、決済処理状態テーブル４０、カードかざし状態テーブル４１、サービス状態テーブル４２、及び図示していない決済種類情報を表すテーブル等から、そのときのＬＥＤ状態に対応する値を読み出して、電子マネー通信装置２に表示を制御するコマンドを送信する。以下のシーケンス図においても同様である。
【００７２】
電子マネー記憶装置３がカード情報通知を送信した（ステップＳ１１３）後に、電子マネー通信装置２からはずされた場合（ステップＳ２１１）、電子マネー通信装置２のかざし制御部２１は、カード情報更新のコマンドに対する（ステップＳ１２５）応答を受信できずにタイムアウトを検出する（ステップＳ２２１）。その後、電子マネー通信装置２は、書込異常通知のコマンドを電子マネー決済制御装置１に送信する（ステップＳ２２２）。
【００７３】
当該書込異常通知のコマンドを受信した電子マネー決済制御装置１は、カード使用者に再度カードを電子マネー通信装置２に近づけてもらうよう表示部１４に表示する。また、再度のかざしを認識できるように、電子マネー通信装置２に再かざし要求のコマンドを送信する（ステップＳ２３１）。電子マネー通信装置２はこのコマンドを受信し、ポーリングの信号を送信する。
【００７４】
図１０は、同実施の形態におけるシステムで決済処理中にカードがすりかえられたときのシステムの処理を示すシーケンス図である。電子マネー記憶装置３がカード情報通知を送信した（ステップＳ１１３）後に、電子マネー通信装置２からはずされ（ステップＳ２１１）、電子マネー通信装置２がカード情報更新のコマンドを送信する前に、カードがすりかえられ、処理を開始したときと異なるカードがかざされた（ステップＳ３１１）場合の処理である。
【００７５】
電子マネー記憶装置３の制御部３１は、電子マネー通信装置２からのカード情報更新のコマンド（ステップＳ１２５）を受信し、当該カード情報更新のコマンドに含まれるカードＩＤと自分のカードＩＤを照合する（ステップＳ６１２）。これが異なる値の場合には、電子マネー記憶装置３には、制御部３１は電子マネー通信装置２に対し、カード不一致のコマンドを送信する（ステップＳ３１４）。これを受信した電子マネー通信装置２は、電子マネー決済制御装置１に対し、カード不一致異常通知を送信する（ステップＳ３２２）。当該カード不一致異常通知を受信した電子マネー決済制御装置１は、図９と同じく表示及び再かざし要求のコマンドを、電子マネー通信装置２へ送信する（ステップＳ２３１）。
【００７６】
図１１は同実施の形態におけるシステムにおいて、決済処理中にカードがはずされたことを検出する処理を示すシーケンス図である。電子マネー通信装置２のかざし制御部２１は電子マネー決済制御装置１にカード情報通知を送信した後、電子マネー記憶装置３が電子マネー通信装置２に通信可能に置かれていることを確認するために、カード情報読取のコマンドを電子マネー記憶装置３に送信する（ステップＳ４２１）。電子マネー記憶装置３の制御部３１はカード情報読取のコマンドを受信したあと、カード情報を書き込んだカード情報通知のコマンドを電子マネー通信装置２に送信する（ステップＳ１１３）。電子マネー通信装置２は決済処理を行っているカード情報と、今受信したカード情報を対比し、電子マネー記憶装置３が電子マネー通信装置２からはずされていないことを確認する。
【００７７】
電子マネー記憶装置３が電子マネー通信装置２からはずされた場合には（ステップＳ２１１）、電子マネー通信装置２はカード情報通知を受信することができず、タイムアウトとなる（ステップＳ４２２）。この場合、電子マネー通信装置２は、電子マネー決済制御装置１に異常通知を行う（ステップＳ４２３）。
【００７８】
電子マネー決済制御装置１の制御部１１は再かざし要求処理を行い（ステップＳ４２３）、カード検知のコマンドを電子マネー通信装置２に送信する（ステップＳ４２４）。これを受信した電子マネー通信装置２は、電子マネー記憶装置３を検出するためにポーリングを行う（ステップＳ１２１）。電子マネー記憶装置３が、再度電子マネー通信装置２にかざされた場合には（ステップＳ４１１）、電子マネー記憶装置３は、電子マネー通信装置２にカード検知のコマンドを送信する（ステップＳ１１２）。このあと、図７の処理と同様に電子マネー通信装置２と電子マネー記憶装置３間で相互認証が行われ、電子マネー通信装置２は電子マネー決済制御装置１に再かざし確認通知の情報を送信する（ステップＳ４２５）。これにより、電子マネー決済制御装置１はカードの再かざしを認識することができる。
【００７９】
図１２は同実施の形態におけるシステムで結果書き込み前にカード検知を行う処理を示すシーケンス図である。電子マネー決済制御装置１の制御部１１は、決済処理サーバ４から決済可否通知を受信した後に（ステップＳ１４２）、カード検知のコマンドを電子マネー通信装置２に対し送信する（ステップＳ４２４）。電子マネー通信装置２のかざし制御部２１は、このカード検知のコマンドを受信した後、電子マネー記憶装置３にポーリングを行う（ステップＳ１２１）。電子マネー記憶装置３が電子マネー通信装置２からはずされていても（ステップＳ２１１）、再度電子マネー通信装置２にかざされると（ステップＳ４１１）、電子マネー記憶装置３はカード検知のコマンドを電子マネー通信装置２に送信する（ステップＳ１１２）。この後に電子マネー記憶装置３と電子マネー通信装置２の間で相互認証が行われる（ステップＳ１２２）。その後、電子マネー通信装置２は電子マネー決済制御装置１に再かざし確認通知を送信する（ステップＳ４２５）。これを受信した電子マネー決済制御装置１は電子マネー通信装置２に対し、通常の書き込み処理を行う（ステップＳ１３４）。以後の処理は図８の処理と同様である。
【００８０】
図１３は同実施の形態におけるシステムの処理で、電子マネー決済制御装置のオンライン処理時間の予測処理を示すフローチャートである。かざし制御部２１がＬＥＤ表示部２６に通信処理状態を指示するときの、通信処理時間を予測する処理である。オンライン処理では、決済処理サーバ４の負荷状況や決済情報サーバ５の処理状況のために、実施に電子マネー決済制御装置１で処理状況を把握することは困難である。そこで、過去の処理履歴を蓄積し、そこから、経過状況を推測してユーザーに知らせる。
【００８１】
決済処理が開始され、電子マネー決済制御装置１の制御部１１がオンライン処理を行う判定をすると、制御部１１は決済処理サーバ４に通信開始する準備を行う（ステップＳ１３０１）。そして制御部１１は表示部１４に「準備中」である表示する。また制御部１１は電子マネー通信装置２にも「通信準備中」であることを通知する。かざし制御部２１はこれを受信すると、通信状態テーブル４０から「通信準備中」に対応するＬＥＤ表示形態の値を読み出し、電子マネー通信装置２にその値の表示を指示する。電子マネー通信装置２への表示指示の処理はその後も同様である。
【００８２】
その後、電子マネー決済制御装置１は決済処理サーバ４とコネクションを成立させ（ステップＳ１３０２）、通信速度の表示を行う（ステップＳ１３０３）。制御部１１は、履歴情報をメモリーから読み出し、今通信している通信速度の補正を行う（ステップＳ１３０４）。また御部１１は表示部１４に「処理中」である表示をする。制御部１１は電子マネー通信装置２に「通信処理中」であることを送信する。電子マネー通信装置２のかざし制御部２１は先ほどと同様に、ＬＥＤ表示形態の変更を指示する。
【００８３】
制御部１１は先の補正から、通信の予測時間求める（ステップＳ１３０５）。御部１１は表示部１４に「通信処理７０％」を表示する。さらに制御部１１は電子マネー通信装置２に「通信処理７０％」であることを通知する。通信が終了すると（ステップＳ１３０６）、御部１１は表示部１４に「通信処理終了」を表示する。制御部１１は決済処理が完了すると、電子マネー通信装置２に「決済処理完了」の通知を行う。
【００８４】
ここで、決済サービス情報には、例えば、ある条件で決済金額を割り引く割引サービスや、ポイントをためて後でそのポイントに応じたサービスを行うポイントサービスなどがある。この決済サービス情報は、制御部１１が予め決められた購入商品と決済サービスの内容のテーブルから読み出すか、または、乱数などを用いてある一定の確立で高いサービスが受けられるようにするなどの方法がある。例えば、Ａ商品は他の商品の倍のポイントがつく、または１００人に一人分の「あたり」があり、これに該等した顧客は倍のポイントがつく等の決済サービスを行う。これらの決済サービスは、電子マネー決済制御装置１の制御部１１が制御することができる。
【００８５】
また、電子マネー記憶装置３の情報によっても決済サービスを決定可能である。例えば電子マネー記憶装置３を有する個人の属性や購入履歴などである。
【００８６】
さらに、オンラインで決済処理を行う場合には、決済処理サーバ４が記憶しているカード情報、例えば決済回数や過去の決済合計金額の情報によっても決済サービスを決めることができる。
【００８７】
図１４は同実施の形態におけるシステムの処理で決済処理サーバと決済情報サーバの情報に基づいて決済サービス情報を算出するフローチャートである。電子マネー決済制御装置１は、電子マネー通信装置２からのカード情報通知の中の決済の購入金額および購入商品の情報を読み出し、メモリーに記憶する（ステップＳ１４０１）。これに電子マネー決済制御装置１の有する店舗や商品にかかわる情報（ステップＳ１４０２）、電子マネー記憶装置３の有する個人や購入履歴に関わる情報（ステップＳ１４０３）、および決済処理サーバ４の有する決済サービスに関わる情報（ステップ１４０４）を基準結果に反映させる（ステップＳ１４０５）。基準結果への反映は、これらの決済サービスを単純に加えるか、または補正係数を乗じて基準結果に加えるなどの方法がある。
【００８８】
また、一度カードが離されて、再かざしされた場合はその再かざしされたタイミングによっても、決済サービスに反映される。再かざしされたタイミングは例えば現在時刻から乱数の如くある一定の割合で求めることができる。また電子マネー記憶装置３が電子マネー通信装置２から離れたことを検出してから、再度検出可能になるまでの再かざし時間によることも可能である。例えばこの再かざし時間が短いほど、決済サービスが良いなどとすることができる。これは、補正係数と時間の対比表を作り、再かざし時間に対応する補正係数を制御部１１が読み出し、この値にポイント数を乗じることなどにより求めることができる。また、制御部１１は通信時間を所定のある時間と比較し、これを超えたときに決済サービス情報に所定の補正係数を乗じることなども行う。
【００８９】
図１５は本実施の形態におけるシステムでオンライン処理による割引サービス処理を示すシーケンス図である。電子マネー決済制御装置１は、電子マネー通信装置２からのカード情報通知を受信した後（ステップＳ１２４）、この購入情報およびカード情報をメモリーに記憶する（Ｓ６３１）。オフライン、オンライン処理の判定の後（ステップＳ１３２）、制御部１１は決済処理サーバ４に確率情報を問い合わせる（ステップＳ６３２）。決済処理サーバ４はメモリーから当該確率情報を読み出し、電子マネー決済制御装置１に応答する（ステップＳ１４１）。電子マネー決済制御装置１は受信した確率情報を用いて、基準結果を算出する（ステップＳ６３３）。
【００９０】
再かざしを検出する場合は、電子マネー決済制御装置１は、図１１と同様にカード検知のコマンドを電子マネー通信装置２に送信し（ステップＳ４２４）、その後電子マネー決済制御装置１は、電子マネー通信装置２からの再かざし確認通知を受信する（ステップＳ４２５）。この後、電子マネー決済制御装置１は再かざし条件を算出する（ステップＳ６３４）。
【００９１】
制御部１１はこの算出結果を決済情報に反映させて、結果書込のコマンドを送信する（ステップＳ１３４）。これ以降は図８と同様に決済処理が行われる。
【図面の簡単な説明】
【００９２】
【図１】本発明の一実施の形態である電子マネー決済システムのシステム構成図である。
【図２】同実施の形態における電子マネー決済制御装置と電子マネー通信装置の主要部の構成を示すブロック図である。
【図３】同実施の形態における電子マネー記憶装置の主要部の構成を示すブロック図である。
【図４】同実施の形態における電子マネー通信装置の発光形態を示す図である。
【図５】同実施の形態における決済処理状態とＬＥＤ表示形態の対応表である。
【図６】同実施の形態におけるカード状態とＬＥＤ表示形態の対応表である。
【図７】同実施の形態におけるサービス状態とＬＥＤ表示形態の対応表である。
【図８】同実施の形態におけるシステムの処理を示すシーケンス図である。
【図９】同実施の形態におけるシステムで決済処理中にカードがはずされたときの処理を示すシーケンス図である。
【図１０】同実施の形態におけるシステムで決済処理中にカードがすりかえられたときの処理を示すシーケンス図である。
【図１１】同実施の形態におけるシステムで決済処理中にカードがはずされたことを検出する処理を示すシーケンス図である。
【図１２】同実施の形態におけるシステムで決済処理中に結果書き込み前にカード検知を行う処理を示すシーケンス図である。
【図１３】同実施の形態におけるシステムの処理で電子マネー決済制御装置のオンライン処理時間の予測処理を示すフローチャートである。
【図１４】同実施の形態におけるシステムの処理で決済処理サーバと決済情報サーバの情報に基づいて決済サービス情報を算出するフローチャートである。
【図１５】同実施の形態におけるシステムでオンライン処理による割引サービス処理を示すシーケンス図である。
【図１６】従来の電子マネーのオフライン決済処理の図である。
【符号の説明】
【００９３】
１  電子マネー決済制御装置
２  電子マネー通信装置
３  電子マネー記憶装置
４  決済処理サーバ
５  決済情報サーバ
６  通信回線
１１  制御部
１２  通深部
１３  入力部
１４  表示部
１５  印刷部
２１  かざし制御部
２２  無線回路部
２３  アンテナ部
２４  ＬＣＤ表示部
２５  音声部
２６  ＬＥＤ表示部
２７（ａ）  ＬＥＤ（左上）
２７（ｂ）  ＬＥＤ（右上）
２７（ｃ）  ＬＥＤ（右下）
２７（ｄ）  ＬＥＤ（左下）
３１  制御部
３２  記憶部
３３  アンテナ部
３４  通信部
４０  決済処理状態テーブル
４１  カードかざし状態テーブル
４２  サービス状態テーブル
【図１】
2008065408.tif 000003
【図２】
2008065408.tif 000004
【図３】
2008065408.tif 000005
【図４】
2008065408.tif 000006
【図５】
2008065408.tif 000007
【図６】
2008065408.tif 000008
【図７】
2008065408.tif 000009
【図８】
2008065408.tif 000010
【図９】
2008065408.tif 000011
【図１０】
2008065408.tif 000012
【図１１】
2008065408.tif 000013
【図１２】
2008065408.tif 000014
【図１３】
2008065408.tif 000015
【図１４】
2008065408.tif 000016
【図１５】
2008065408.tif 000017
【図１６】
2008065408.tif 000018